(57)【要約】【課題】表示部に表示される測定結果等の情報が常に視認されやすい状態になるようにした体組成計を提供する。【解決手段】この体組成計は、使用者が両足を乗せることで使用者の体重等を測定する体重計１と、この体重計１に着脱自在に設けられ、体重計１から離脱して使用者に把持された状態で使用者の生体インピーダンス等を測定するハンドユニット２と、このハンドユニット２に設けられ、体重計１およびハンドユニット２での測定結果等の情報を表示する表示部２Ａと、表示部２Ａに前記情報を表示させる制御部４０とを備えている。制御部４０は、ハンドユニット２の体重計１からの離脱状態では、表示部２Ａに情報を小さいサイズで表示させる一方、ハンドユニット２の体重計１への装着状態では、表示部２Ａに情報を大きいサイズで表示させる制御を行う。【選択図】図１
2010220855.tif 000002
【特許請求の範囲】
【請求項１】
使用者が両足を乗せることで使用者の少なくとも体重を測定する体重計と、この体重計に着脱自在に設けられ、体重計から離脱して使用者に把持された状態で使用者の体組成を測定するハンドユニットと、このハンドユニットに設けられ、体重計およびハンドユニットでの測定結果等の情報を表示する表示部とを備えた体組成計であって、
前記表示部に前記情報を表示させる制御部をさらに備え、
前記制御部は、ハンドユニットの体重計からの離脱状態では、表示部に情報を小さいサイズで表示させる一方、ハンドユニットの体重計への装着状態では、表示部に情報を大きいサイズで表示させる制御を行うことを特徴とする体組成計。
【請求項２】
前記ハンドユニットの前記体重計に対する着脱状態を検出する状態検出手段を備え、
前記制御部は、前記状態検出手段により検出されたハンドユニットの着脱状態に応じたサイズで、表示部に前記情報を表示させることを特徴とする請求項１に記載の体組成計。
【請求項３】
前記体重計は、使用者の足に接触することで使用者の生体インピーダンスを測定する第１の電極を有し、
前記ハンドユニットは、使用者に把持される把持部と、この把持部に設けられ、使用者の手に接触することで使用者の生体インピーダンスを測定する第２の電極と、使用者の被測定部位に押し当てられてその部位の皮下脂肪厚を測定する測定部とを有することを特徴とする請求項１または２に記載の体組成計。
【発明の詳細な説明】
【技術分野】
【０００１】
本発明は、体組成計に関するものである。
【背景技術】
【０００２】
従来から、体組成を測定することができる体組成計が知られている（例えば、特許文献１参照）。
【０００３】
このような体組成計は、使用者の体重を測定する体重計と、この体重計に着脱自在に設けられ、体重計から離脱して使用者に把持された状態で使用者の生体インピーダンス等を測定するハンドユニットとを備えている。
【０００４】
また、ハンドユニットには、体重計およびハンドユニットでの測定結果等の情報を表示する表示部が設けられている。
【先行技術文献】
【特許文献】
【０００５】
【特許文献１】特開２００７−３３０５４９号公報
【発明の概要】
【発明が解決しようとする課題】
【０００６】
前記従来の体組成計では、例えばハンドユニットで生体インピーダンスを測定した場合には、表示部が使用者の目の近くに配されるため、使用者は表示部の情報を容易に視認できる。しかし、例えばハンドユニットを体重計に装着した状態で体重を測定した場合には、表示部が使用者の目から遠くに配されることから、使用者は表示部の情報を視認しにくい。
【０００７】
本発明は、前記のような課題を解決するためになされたものであり、表示部に表示される測定結果等の情報が常に視認されやすい状態になるようにした体組成計を提供することを目的とする。
【課題を解決するための手段】
【０００８】
前記目的を達成するために、本発明は、使用者が両足を乗せることで使用者の少なくとも体重を測定する体重計と、この体重計に着脱自在に設けられ、体重計から離脱して使用者に把持された状態で使用者の体組成を測定するハンドユニットと、このハンドユニットに設けられ、体重計およびハンドユニットでの測定結果等の情報を表示する表示部とを備えた体組成計であって、前記表示部に前記情報を表示させる制御部をさらに備え、前記制御部は、ハンドユニットの体重計からの離脱状態では、表示部に情報を小さいサイズで表示させる一方、ハンドユニットの体重計への装着状態では、表示部に情報を大きいサイズで表示させる制御を行うことを特徴とする体組成計を提供するものである。
【０００９】
請求項２のように、請求項１において、前記ハンドユニットの前記体重計に対する着脱状態を検出する状態検出手段を備え、前記制御部は、前記状態検出手段により検出されたハンドユニットの着脱状態に応じたサイズで、表示部に前記情報を表示させる構成とすることができる。
【００１０】
請求項３のように、請求項１または２において、前記体重計は、使用者の足に接触することで使用者の生体インピーダンスを測定する第１の電極を有し、前記ハンドユニットは、使用者に把持される把持部と、この把持部に設けられ、使用者の手に接触することで使用者の生体インピーダンスを測定する第２の電極と、使用者の被測定部位に押し当てられてその部位の皮下脂肪厚を測定する測定部とを有する構成とすることができる。
【発明の効果】
【００１１】
本発明によれば、ハンドユニットの表示部に表示される情報（具体的には文字や図形等）の表示サイズが、ハンドユニットの離脱状態では小さくなるように、またハンドユニットの装着状態では大きくなるように制御される。これにより、例えばハンドユニットで体組成を測定した場合には、表示部には情報が比較的小さいサイズで表示されるが、表示部は使用者の目の近く（約５０ｃｍ以内）に配されるため、使用者は表示部の情報を容易に視認することができる。その一方、例えばハンドユニットを体重計に装着した状態で体重を測定した場合には、表示部が使用者の目から遠く（一般成人の場合、約１５０〜１７０ｃｍ）に配されることになる。しかし、表示部には情報が比較的大きいサイズで表示されるため、使用者は表示部の情報を容易に視認できる。以上より、表示部に表示される測定結果等の情報を使用者が常に視認しやすい状態にすることができる。
【００１２】
なお、本発明におけるサイズの大小の概念には、文字や図形等の情報自体の大きさのみならず、例えば文字であれば、その太さや字体等、例えば図形であれば、その濃さや色彩等の情報の見やすさの要素も含まれるものとする。
【００１３】
請求項２によれば、状態検出手段によりハンドユニットの着脱状態を正確に把握することができるので、ハンドユニットの着脱状態に応じた適切なサイズの情報を表示部に確実に表示することができるようになる。
【００１４】
請求項３によれば、生体インピーダンスに基づく体脂肪（内臓脂肪）に関する情報と、皮下脂肪厚に基づく皮下脂肪に関する情報とを同時に得ることができる。また、体重計の第１の電極とハンドユニットの第２の電極とによって手足間の生体インピーダンスを測定することができるので、使用者の体脂肪（内臓脂肪）に関するより正確な情報を得ることができる。
【図面の簡単な説明】
【００１５】
【図１】本発明の実施形態の体組成計において体重計からハンドユニットを離脱した状態の斜視図である。
【図２】図１の体重計にハンドユニットを装着した状態の斜視図である。
【図３】ハンドユニットであり、（ａ）は正面側斜視図、（ｂ）は背面側斜視図である。
【図４】（ａ）はハンドユニットの正面図、（ｂ）は皮下脂肪厚の測定原理図である。
【図５】コードリールであり、（ａ）は分解斜視図、（ｂ）は簡略化した側面断面図である。
【図６】制御部の回路図である。
【図７】（ａ）はハンドユニットによる生体インピーダンスの測定時の斜視図、（ｂ）はハンドユニットによる二の腕の皮下脂肪厚の測定時の斜視図である。
【図８】（ａ）はハンドユニットの離脱状態での測定時の側面図、（ｂ）はその測定時の表示部の正面図である。
【図９】（ａ）はハンドユニットの装着状態での測定時の側面図、（ｂ）はその測定時の表示部の正面図である。
【発明を実施するための形態】
【００１６】
以下、本発明を実施するための最良の形態について、図面を参照しながら詳細に説明する。
【００１７】
図１は、体組成計において体重計１からハンドユニット２を離脱した状態の斜視図、図２は、体組成計において体重計１にハンドユニット２を装着した状態の斜視図である。
【００１８】
体組成計は、体重計１と、表示部２Ａを有するハンドユニット２とを備えている。体重計１とハンドユニット２とは、フレキシブルなコード７で電気的に接続されている。
【００１９】
体重計１は、使用者（被測定者）が左右の足を乗せることで使用者の体重を測定するものである。この体重計１で測定された体重の情報は、ハンドユニット２の表示部２Ａに表示される。
【００２０】
また、体重計１の左右の足を乗せる部分には、印加電極３および測定電極４がそれぞれ設けられており、印加電極３と測定電極４との間で足の生体インピーダンスを測定することができる。この足の生体インピーダンスに基づく体脂肪率の情報は、ハンドユニット２の表示部２Ａに表示される。なお、ここで言う体脂肪とは主に内臓脂肪のことである。前記印加電極３と測定電極４とで本発明の「第１の電極」が構成される。
【００２１】
ハンドユニット２は、体重計１に着脱自在に設けられ、体重計１から離脱して使用者に把持された状態で使用者の体組成を測定するためのものである。このハンドユニット２は、横長四角形状に形成されて、両端部分に、左手用の把持部１０と右手用の把持部１１とをそれぞれ備えるとともに、連結部材１２で一体的に連結されている。
【００２２】
各把持部１０，１１には、印加電極５および測定電極６がそれぞれ設けられており（図３（ａ）（ｂ）参照）、印加電極５と測定電極６との間で手の生体インピーダンス（体組成）を測定することができる。この手の生体インピーダンスに基づく体脂肪率の情報は、ハンドユニット２の表示部２Ａに表示される。なお、前記印加電極５と測定電極６とで本発明の「第２の電極」が構成される。
【００２３】
連結部材１２の正面には、測定結果等の情報を表示する液晶ディスプレイ等の表示部２Ａと、身長・体重・性別等を入力する各種スイッチ１５が配列された操作部２Ｂとが設けられている。なお、図４（ａ）には、操作部２Ｂの詳細な内容を例示している。
【００２４】
連結部材１２の背面には、使用者の被測定部位に押し当てられることでその部位の皮下脂肪厚（体組成）を測定する測定部１７が形成されている。この測定部１７には、波長８５０ｎｍ付近の近赤外光を発するＬＥＤを有する発光部１８が設けられ、この発光部１８から所定の距離を隔てて複数個（本例では２個）の受光部１９Ａ，１９Ｂが設けられている。
【００２５】
図４（ｂ）は、皮下脂肪厚の測定原理図である。発光部１８から照射された赤外光は、表皮Ｍ１に入射する。生体は、近赤外若しくは可視光にとって散乱体であるから、赤外光は散乱しながら皮下脂肪層Ｍ２に入射する。皮下脂肪層Ｍ２に入射した赤外光は、さらに散乱、拡散を続けながら広がり、一部は筋肉層Ｍ３に達する。この筋肉層Ｍ３は血液や水分が多いとともに筋繊維の影響で、赤外光が多く吸収される。この筋肉層Ｍ３に到達せずに皮下脂肪層Ｍ２を広がる赤外光は、ほとんど減衰することなく伝播する。
【００２６】
したがって、皮下脂肪層Ｍ２が厚い場合は、ほとんどの赤外光は、筋肉層Ｍ３の影響で減衰することなく伝播するが、皮下脂肪層Ｍ２が薄い場合は、多くの赤外光が筋肉層Ｍ３に到達して減衰するために、受光部１９Ａ，１９Ｂに到達する光が減少する。
【００２７】
この結果、受光部１９Ａ，１９Ｂで受光した赤外光の受光量を検出することで、皮下脂肪厚を知ることができる。このように測定部１７で測定された皮下脂肪厚に基づく皮下脂肪率の情報は、ハンドユニット２の表示部２Ａに表示される。
【００２８】
コード７は、体重計１側の測定結果とハンドユニット２側の測定結果との一元管理や、それらの測定結果のハンドユニット２の表示部２Ａへの表示のために設けられているものである。
【００２９】
このコード７は、図５に示すように、体重計１内に設けられたコードリール２６に巻き取り・引き出し可能に巻き付けられている。
【００３０】
コードリール２６の上下のリールケース２７，２８内には、コード７を巻き付けるリール２９が回転可能に収納され、このリール２９の上側位置には、ゼンマイばね３０が収納され、このゼンマイばね３０でリール２９がコード７の巻き取り方向に付勢されている。従って、コード７は、巻き取り方向の付勢力に抗して、引き出し方向に引き出せるようになる。
【００３１】
なお、コード７は、前記のような自動巻取りではなく手動で巻き取るように構成されていなくともよく、また、巻き取らずに単に束ねて収納するようになっていてもよい。
【００３２】
また、体重計１の内部には、ＣＰＵ、ＲＯＭ、ＲＡＭ等からなる制御部４０（図６参照）が設けられている。この制御部４０は、体重計１側の測定結果とハンドユニット２側の測定結果とを一元的に管理するとともに、ハンドユニット２の表示部２Ａに測定結果等の情報を表示させる制御を行うためのものである。制御部４０は、コード７によってハンドユニット２の表示部２Ａと電気的に接続されている。
【００３３】
ここで、本実施形態の制御部４０は、ハンドユニット２の体重計１からの離脱状態では、表示部２Ａに前記情報を小さいサイズで表示させる制御を行う一方、ハンドユニット２の体重計１への装着状態では、表示部２Ａに情報を大きいサイズで表示させる制御を行う。
【００３４】
より詳しくは、体組成計には、ハンドユニット２の着脱状態を検出する状態検出手段５０が設けられており、制御部４０は、この状態検出手段５０による検出結果に応じたサイズで、表示部２Ａに前記情報を表示させる。
【００３５】
そして、状態検出手段５０からのハンドユニット２の着脱状態を示す検出信号は、制御部４０の受信部４１で受信され、その受信信号に基づいて処理部４２でハンドユニット２の着脱状態が判別されるとともに、その判別結果に応じた制御信号が生成される。この制御信号はコード７を通してハンドユニット２の表示部２Ａに送信される。
【００３６】
具体的に、受信部４１でハンドユニット２の離脱状態を示す状態検出手段５０からの検出信号を受信した場合、処理部４２において、表示部２Ａに測定結果等の情報を小さいサイズで表示させるための制御信号が生成され、表示部２Ａに送信される。これにより、表示部２Ａには、前記情報が小さいサイズで表示される。
【００３７】
一方、受信部４１でハンドユニット２の装着状態を示す状態検出手段５０からの検出信号を受信した場合、処理部４２において、表示部２Ａに測定結果等の情報を大きいサイズで表示させるための制御信号が生成され、表示部２Ａに送信される。これにより、表示部２Ａには、前記情報がハンドユニット２の離脱状態のときよりも大きい（例えば、２〜３倍程度）サイズで表示される。
【００３８】
前記状態検出手段５０は、例えば、体重計１に設けたスイッチ５１（図１参照）である。このスイッチ５１は、ハンドユニット２の着脱状態によってオンオフが切り替わるように構成されるものである。
【００３９】
前記体組成計において、ハンドユニット２を用いて体脂肪率を測定する場合には、図７（ａ）に示すように、ハンドユニット２を体重計１から取り外して、使用者は体重計１の上に乗る。ハンドユニット２には、使用者の身長・性別・年齢等を予め入力しておく。なお、体重は、体重計１で自動的に測定されるので入力する必要は無い。
【００４０】
そして、使用者は、ハンドユニット２の把持部１０，１１を両手で把持し、巻き取り方向に付勢されたコード７を体重計１内のコードリール２６から引き出しながら、両腕を真っ直ぐに伸ばした状態にハンドユニット２を保持する。
【００４１】
この測定時には、コード７に弛みがあるとインピーダンス抵抗が変化するので、コード７に弛みが生じないように、コード７を付勢力に抗して引き出した状態とする。
【００４２】
これにより、体重計１で測定した体重と各電極３〜６で測定した手足の生体インピーダンスとに基づく体脂肪率が求められ、その体脂肪率の情報が、前述のように、ハンドユニット２の表示部２Ａに表示されるようになる。
【００４３】
また、図７（ｂ）に示すように、二の腕Ｍ４の皮下脂肪厚測定時には、ハンドユニット２を例えば右手だけの片手操作で把持しながら左腕の二の腕Ｍ４に押し当てる。そして、ハンドユニット２の「二の腕」用の皮下脂肪厚測定開始スイッチ〔図４（ａ）の１５ａ参照〕をオンする。これにより、二の腕Ｍ４の皮下脂肪厚が測定される。そして、ハンドユニット２で測定した皮下脂肪厚は、前述のように、ハンドユニット２の表示部２Ａに表示されるようになる。なお、皮下脂肪厚測定だけの時は、図７（ｂ）のように、体重計１に乗る必要はない。また、皮下脂肪厚測定開始スイッチは、「二の腕」用に限るものではない。
【００４４】
そして、本実施形態では、前記のように、使用者がハンドユニット２を把持して生体インピーダンスや皮下脂肪厚の測定を行う場合、図８（ａ）に示すように、表示部２Ａは使用者の目の近く（約５０ｃｍ以内：ｄ１参照）に配される。このため、図８（ｂ）に示すように、表示部２Ａに情報（ここでは使用者の体重）が小さいサイズで表示されても、使用者は表示部２Ａの情報を容易に視認することができる。
【００４５】
一方、図９（ａ）に示すように、ハンドユニット２を体重計１に装着した状態で体重や足の生体インピーダンスを測定する場合には、表示部２Ａが使用者の目から遠く（一般成人の場合、約１５０〜１７０ｃｍ：ｄ２参照）に配されることになる。しかし、本実施形態では、図９（ｂ）に示すように、表示部２Ａには情報（使用者の体重）が大きいサイズで表示されるため、使用者は表示部２Ａの情報を容易に視認することができる。
【００４６】
従って、本実施形態の体組成計では、表示部２Ａに表示される情報を使用者が常に視認しやすい状態になっている。
【００４７】
また、本実施形態のように、ハンドユニット２の着脱状態を検出する状態検出手段５０を設ければ、状態検出手段５０によりハンドユニット２の着脱状態を正確に把握することができる。これにより、ハンドユニット２の着脱状態に応じた適切なサイズの情報を表示部２Ａに確実に表示することができるようになる。
【００４８】
また、本実施形態では、ハンドユニット２に、把持した手の生体インピーダンスを測定するための電極５，６を設けるとともに、皮下脂肪厚を測定するための測定部１７を設け、体重計１に、乗せた足の生体インピーダンスを測定するための電極３，４を設けた。これにより、生体インピーダンスに基づく体脂肪（内臓脂肪）に関する情報と、皮下脂肪厚に基づく皮下脂肪に関する情報とを同時に得ることができる。また、体重計１の電極３，４とハンドユニット２の電極５，６とによって手足間の生体インピーダンスを測定することができるので、使用者の体脂肪（内臓脂肪）に関するより正確な情報を得ることができる。
【００４９】
なお、状態検出手段５０として、以下のものであってもよい。例えば、リールケース２８に設けたスイッチ５２（図５（ａ）参照）を状態検出手段５０として機能させることができる。この場合、スイッチ５２は、リール２９がコード７を完全に巻き取ったときのリール２９の初期位置からの回転を検出することによってオンオフが切り替わるように構成される。また、状態検出手段５０は、使用者がハンドユニット２を把持したか否かを検出するものであってもよく、例えばハンドユニット２の電極５，６を前記状態検出手段５０として機能させることが可能である。また、前記各状態検出手段５０を適宜組み合わせて用いることも可能である。
【００５０】
また、前記実施形態では、体重計１に電極３，４を設けて、体重計１で足の生体インピーダンスも測定するように構成したが、これに限らず、体重計１が体重のみを測定可能に構成されていてもよい。また、ハンドユニット２が手の生体インピーダンスと皮下脂肪厚とのいずれか一方のみを測定可能に構成されていてもよい。
【符号の説明】
【００５１】
１  体重計
２  ハンドユニット
２Ａ  表示部
３  印加電極（第１電極）
４  測定電極（第１電極）
５  印加電極（第２電極）
６  測定電極（第２電極）
１０，１１  把持部
１７  測定部
４０  制御部
５０  状態検出手段
５１，５２  スイッチ
【図１】
2010220855.tif 000003
【図２】
2010220855.tif 000004
【図３】
2010220855.tif 000005
【図４】
2010220855.tif 000006
【図５】
2010220855.tif 000007
【図６】
2010220855.tif 000008
【図７】
2010220855.tif 000009
【図８】
2010220855.tif 000010
【図９】
2010220855.tif 000011